(57)【要約】【課題】取り込んだ光を目的箇所まで導いて放射する際に、放射する光の強度及び色味を適切に調整できる採光装置を提供すること。【解決手段】光を取り込む採光部１１と、採光部１１から取り込んだ光を導く導光部１２と、導光部１２により導かれた光を目的箇所に放射する放光部１３と、前記取り込んだ光の少なくとも一部を反射する反射面１０と、を備える採光装置１であって、放光部１３と目的箇所との間に、光透過性の有機ＥＬ照明２０又は無機ＥＬ照明２０が設けられている採光装置１。【選択図】図１Ａ
2016092003.tif 000002
【特許請求の範囲】
【請求項１】
光を取り込む採光部と、前記採光部から取り込んだ光を導く導光部と、前記導光部により導かれた光を目的箇所に放射する放光部と、前記取り込んだ光の少なくとも一部を反射する反射面と、を備える採光装置であって、
前記放光部と前記目的箇所との間に、光透過性の有機ＥＬ照明又は無機ＥＬ照明が設けられている採光装置。
【請求項２】
前記有機ＥＬ照明又は無機ＥＬ照明は、前記放光部の放光口を覆うように設けられている請求項１に記載の採光装置。
【請求項３】
前記有機ＥＬ照明又は無機ＥＬ照明は、波長３８０〜１０００ｎｍ帯域の光透過率が３０％以上である請求項１又は２に記載の採光装置。
【請求項４】
前記有機ＥＬ照明又は無機ＥＬ照明とは異なる他の有機ＥＬ照明又は無機ＥＬ照明が、前記反射面上の全部又は一部に設置されている請求項１〜３のいずれかに記載の採光装置。
【請求項５】
前記反射面は、銀又は銀合金からなる光反射皮膜を有し、
前記有機ＥＬ照明又は無機ＥＬ照明は、全波長帯域における発光強度の積分値Ｉａｌｌに対する、４００〜５００ｎｍの波長帯域における発光強度の積分値Ｉ４００〜５００の比（Ｉ４００〜５００／Ｉａｌｌ）が１／３以上である発光スペクトルを有する請求項１〜４のいずれかに記載の採光装置。
【請求項６】
前記反射面は、アルミニウム又はアルミニウム合金からなる光反射皮膜を有し、
前記有機ＥＬ照明又は無機ＥＬ照明は、全波長帯域における発光強度の積分値Ｉａｌｌに対する、６００〜７００ｎｍの波長帯域における発光強度の積分値Ｉ６００〜７００の比（Ｉ６００〜７００／Ｉａｌｌ）が１／３以上である発光スペクトルを有する請求項１〜５のいずれかに記載の採光装置。
【発明の詳細な説明】
【技術分野】
【０００１】
本発明は、光を目的箇所へと導く採光装置に関する。
【背景技術】
【０００２】
省エネルギーの必要性や、二酸化炭素の排出削減による環境保護の必要性から、太陽光を反射率の高いダクトを介して目的箇所に放射し、照明光源として利用する採光装置が提案されている。
【０００３】
このような採光装置では、太陽光をダクト内で反射させながら導光するので、拡散反射により太陽光の強度が減衰し、また、特定の波長帯域の光が吸収されることにより所望の色味（色温度）が得られないことがある。このため、導光される太陽光の強度及び色味を適切に調整する技術が求められている。たとえば、特許文献１には、放射される光の強度や色味を調整するため、ダクトに、ＬＥＤを光源とした照明装置を設置する技術が開示されている。
【先行技術文献】
【特許文献】
【０００４】
【特許文献１】特開２０１３−２４６９８０号公報
【発明の概要】
【発明が解決しようとする課題】
【０００５】
しかしながら、上記特許文献１に開示された従来技術では、ＬＥＤの設置位置によっては、ＬＥＤが採光装置による導光を妨げてしまうため、ＬＥＤの設置位置の自由度が低く、放射される光の強度や色味の調整を効率的に行うことができないという問題がある。
【０００６】
本発明の目的は、取り込んだ光を目的箇所まで導いて放射する際に、放射する光の強度及び色味を適切に調整できる採光装置を提供することである。
【課題を解決するための手段】
【０００７】
本発明によれば、光を取り込む採光部と、前記採光部から取り込んだ光を導く導光部と、前記導光部により導かれた光を目的箇所に放射する放光部と、前記取り込んだ光の少なくとも一部を反射する反射面と、を備える採光装置であって、前記放光部と前記目的箇所との間に、光透過性の有機ＥＬ照明又は無機ＥＬ照明が設けられている採光装置が提供される。
【０００８】
本発明の採光装置において、前記有機ＥＬ照明又は無機ＥＬ照明は、前記放光部の放光口を覆うように設けられていることが好ましい。
本発明の採光装置において、前記光透過性の有機ＥＬ照明又は無機ＥＬ照明は、波長３８０〜１０００ｎｍ帯域の光透過率が３０％以上であることが好ましい。
本発明の採光装置において、前記有機ＥＬ照明又は無機ＥＬ照明とは異なる他の有機ＥＬ照明又は無機ＥＬ照明が、前記反射面上の全部又は一部に設置されていることが好ましい。
【０００９】
本発明の採光装置において、前記反射面は、全反射率に対して正反射率が６０％以上のものが好ましい。
本発明の採光装置において、前記反射面は、銀又は銀合金からなる光反射皮膜を有し、前記有機ＥＬ照明又は無機ＥＬ照明は、全波長帯域における発光強度の積分値Ｉａｌｌに対する、４００〜５００ｎｍの波長帯域における発光強度の積分値Ｉ４００〜５００の比（Ｉ４００〜５００／Ｉａｌｌ）が１／３以上である発光スペクトルを有することが好ましい。
本発明の採光装置において、前記反射面は、アルミニウム又はアルミニウム合金からなる光反射皮膜を有し、前記有機ＥＬ照明又は無機ＥＬ照明は、全波長帯域における発光強度の積分値Ｉａｌｌに対する、６００〜７００ｎｍの波長帯域における発光強度の積分値Ｉ６００〜７００の比（Ｉ６００〜７００／Ｉａｌｌ）が１／３以上である発光スペクトルを有することが好ましい。
なお、本願に記載する透過率及び反射率とは、ＪＩＳ  Ｋ７３７５：２００８に記載の全光線透過率及び全光線反射率の測定方法を用いた値のことをさす。
【発明の効果】
【００１０】
本発明によれば、光を取り込む採光部と、採光部から取り込んだ光を導く導光部と、導光部により導かれた光を目的箇所に放射する放光部とを有する採光装置において、放光部と目的箇所との間に、光透過性の有機ＥＬ照明又は無機ＥＬ照明を設けたため、採光装置による導光を妨げることなく、放光部から放射する光の強度及び色味を効率的に調整可能な採光装置を提供することができる。
【図面の簡単な説明】
【００１１】
【図１Ａ】本発明に係る採光装置の第１実施形態を示す斜視図である。
【図１Ｂ】図１Ａに示す採光装置の側面図及び正面図である。
【図２】採光装置の光路に設けられた光反射面の構成を示す断面図である。
【図３】光透過性の有機ＥＬ照明又は無機ＥＬ照明の構成例を示す断面図である。
【図４Ａ】本発明に係る採光装置の第２実施形態を示す側面図である。
【図４Ｂ】本発明に係る採光装置の第３実施形態を示す側面図である。
【図４Ｃ】本発明に係る採光装置の第４実施形態を示す側面図である。
【図５Ａ】本発明に係る採光装置の第５実施形態を示す斜視図である。
【図５Ｂ】図５Ａに示す採光装置の側面図及び正面図である。
【図５Ｃ】図５Ａの採光装置の変形例を示す側面図及び正面図である。
【図６Ａ】片面発光型の有機ＥＬ照明又は無機ＥＬ照明の構成例を示す断面図である。
【図６Ｂ】片面発光型の有機ＥＬ照明又は無機ＥＬ照明の他の構成例を示す断面図である。
【図７Ａ】本発明に係る採光装置の第６実施形態を示す側面図である。
【図７Ｂ】本発明に係る採光装置の第７実施形態を示す側面図である。
【図７Ｃ】本発明に係る採光装置の第８実施形態を示す側面図である。
【図８】本発明に係る採光装置を建物に組込んだ第９実施形態を示す断面図である。
【図９Ａ】本発明に係る採光装置の第１０実施形態を示す断面図及び下面図である。
【図９Ｂ】本発明に係る採光装置の第１１実施形態を示す断面図である。
【図９Ｃ】本発明に係る採光装置の第１２実施形態を示す断面図である。
【図９Ｄ】本発明に係る採光装置の第１３実施形態を示す断面図である。
【図９Ｅ】本発明に係る採光装置の第１４実施形態を示す断面図である。
【図９Ｆ】図９Ｅに示す採光装置に設置したルーバーを示す上面図である。
【図９Ｇ】本発明に係る採光装置の第１５実施形態を示す断面図である。
【発明を実施するための形態】
【００１２】
以下、本発明に係る採光装置の実施形態を図面に基づいて説明する。図１Ａは、本実施形態に係る採光装置１の全体構成を示す斜視図である。また、図１Ｂは、図１Ａに示す採光装置１をｘ軸の正方向に見た側面図と、ｙ軸の正方向に見た正面図とを示す。なお、図１Ｂ中の一点鎖線は、太陽ＳＮからの太陽光が、採光部１１から取り込まれた際の光路の一例を示す。
【００１３】
図１Ａに示すように、本実施形態に係る採光装置１は、太陽光を取り込む採光部１１と、取り込んだ太陽光を導光する導光部１２と、導光した太陽光を放射する放光部１３と、放光部１３の放光口１３１を覆うように設置された光透過性の有機ＥＬ照明２０又は無機ＥＬ照明２０とを備える。図１Ａに示す採光装置１は、導光部１２にて光が漏れないように全体が四角柱状の筒となっており、採光部１１の採光口１１１及び放光部１３の放光口１３１で光が通過できるようになっている。なお、図１Ａの放光部１３の放光口１３１を通過した光は、さらに光透過性の有機ＥＬ照明２０又は無機ＥＬ照明２０を通過するようになっている。図１Ａでは、採光装置１の全体が四角柱の筒状である例を示したが、図１Ａの採光装置１及び後述する各採光装置は、四角柱以外の多角柱や、円柱などの形状の筒であってもよい。採光装置１において、採光部１１、導光部１２及び放光部１３の内面は、後述する光反射面１０で覆われている。
【００１４】
本実施形態に係る採光装置１では、図１Ｂ中の一点鎖線で示すように、採光部１１に設けられた採光口１１１から取り込まれた太陽光が、採光装置１内で反射しながら導光部１２を通って放光部１３に導かれ、放光部１３の放光口１３１から、光透過性の有機ＥＬ照明２０又は無機ＥＬ照明２０を通過して、目的箇所へ放射されるようになっている。なお、図１Ａ，図１Ｂでは、放光口１３１と有機ＥＬ照明２０又は無機ＥＬ照明２０との面積（ｘｙ平面の面積）が同じである例を示したが、有機ＥＬ照明２０又は無機ＥＬ照明２０の面積は特に限定されず、放光口１３１より小さくてもよいし、放光口１３１より大きくてもよい。
【００１５】
本実施形態に係る採光装置１では、太陽光を採光装置１内で導光し、放光口１３１から有機ＥＬ照明２０又は無機ＥＬ照明２０を透過させて放射する際に、有機ＥＬ照明２０又は無機ＥＬ照明２０を発光させることで、放光口１３１から放射される太陽光の強度及び色味を調整可能となっている。すなわち、太陽光は、採光装置１の光反射面１０で反射する際にわずかに拡散反射してしまい、これにより、各波長帯域での強度が全体的に減衰する。さらに、太陽光は、採光装置１の光反射面１０に入射した際に、光反射面１０に特定の波長帯域の光が吸収されることで、色味が変化するうえ、強度が減衰する。そのため、本実施形態では、採光装置１において有機ＥＬ照明２０又は無機ＥＬ照明２０を必要に応じて発光させることで、放光口１３１から放射される太陽光の強度及び色味を適切に調整する。
【００１６】
なお、採光口１１１および放光口１３１は、光が透過できる透明性の高い板、たとえば、透明ガラス板や透明樹脂板で構成することができる。あるいは、放光口１３１は、このような透明性の高い板を設けずに単なる開口としてもよい。また、放光口１３１には、拡散板を設置してもよく、この拡散板を通じて放光口１３１から光を放射させることにより、放射される光をやわらかいものとすることができる。さらに、採光装置１としては、太陽光を効率的に取り込むために、採光口１３１に太陽光を追尾する太陽光追尾装置や、集光レンズなどの集光装置を備えるものであってもよい。
【００１７】
このような構成を有する採光装置１は、たとえば、太陽光を導光して室内又は屋外に放射する照明装置として用いることができる。あるいは、採光装置１は、植物工場内で育てる植物（野菜、観葉植物など）や、水中の植物（海藻など）に太陽光を放射して光合成を促す光照射装置として用いることもできる。
【００１８】
次いで、本実施形態に係る採光装置１の内面を覆う光反射面１０について説明する。図２に一例を示すように、本実施形態に係る採光装置１を構成する光反射面１０は、基体１０１、樹脂層１０２、光反射層１０３、および保護層１０４を、この順に積層することにより形成される。なお、図２に示す光反射面１０は、採光装置１内において、光反射層１０３および保護層１０４が内面側となるように設置される。
【００１９】
基体１０１としては、特に限定されないが、ガラス、プラスチック、金属板などが挙げられる。金属板としては、鋼板、アルミニウム板、アルミニウム合金板などが挙げられ、これらのなかでも機械的強度の向上や製造コストの低減という点から、鋼板が好ましく用いられる。
【００２０】
鋼板としては、クロム含有量が１１質量％未満の鉄合金の板、または、クロム含有量が１１質量％以上の鉄合金、いわゆるステンレスの板が挙げられる。特に、クロム含有量が１１質量％未満の鉄合金鋼板は、アルミニウムやステンレスと比べて安価な材料であり、コスト的に有利である。
【００２１】
アルミニウム合金板は、アルミニウムを主成分とし、強度、加工性、耐食性などを付与するためにマグネシウム（Ｍｇ）、マンガン（Ｍｎ）、シリコン（Ｓｉ）などを添加し、合金化したものである。
【００２２】
また、基体１０１を構成するための金属板としては、表面処理が施された表面処理金属板であってもよい。表面処理金属板としては、上記した金属板の表面に各種めっきを施したもの、またはアルミニウム板の表面にアルマイト処理を施したものなどが挙げられる。
【００２３】
基体１０１を、めっきで表面処理しためっき処理金属板とする場合において、めっきに用いる金属としては、亜鉛、亜鉛合金、錫、ニッケル、クロムなどを用いることができる。
【００２４】
たとえば、基体１０１として、鋼板上に、亜鉛めっきまたは亜鉛合金めっきを形成することにより得られる亜鉛めっき鋼板を例示して説明すると、めっき方法により、たとえば、溶融亜鉛めっき鋼板、溶融亜鉛合金めっき鋼板、電気亜鉛めっき鋼板、電気亜鉛合金めっき鋼板など複数の種類が挙げられる。
【００２５】
また、鋼板上に亜鉛めっきまたは亜鉛合金めっきを形成する際に、めっきに用いる金属としては、亜鉛や亜鉛合金が用いられる。亜鉛合金としては、亜鉛（Ｚｎ）に５〜５５質量％のアルミニウム（Ａｌ）を含有するもの、亜鉛（Ｚｎ）にコバルト（Ｃｏ）、モリブデン（Ｍｏ）を含有するものなどが用いられる。
【００２６】
さらに、亜鉛めっき鋼板としては、亜鉛等のめっきの剥がれや変質を防止するために化成処理を施してもよい。化成処理として、例えば、クロメート処理、リン酸塩処理、リチウム−シリケート処理、シランカップリング処理あるいは、ジルコニウム処理などが挙げられる。
【００２７】
また、基体１０１としては、金属板に限定されず、適度な強度を確保できるものであればよく、上述したように、ガラス、プラスチック又はフィルム材を用いてもよい。基体１０１の材料にプラスチックを用いる場合には、プラスチックとしては、たとえば、ポリエチレンテレフタレート、アクリル、塩化ビニル、ポリカーボネートなどが挙げられる。また、基体１０１としては、紙材を用いてもよい。
【００２８】
基体１０１の厚みは、特に限定されないが、通常、０．２〜３ｍｍであり、好ましくは０．６〜１．２ｍｍである。
【００２９】
樹脂層１０２は、基体１０１自体の耐食性を向上させ、さらに、基体１０１と光反射層１０３の間に介在させることで、基体１０１と光反射層１０３との密着性を向上させるために設けられる。樹脂層１０２は、種々の材料で構成される塗装膜またはフィルムとすることができる。塗装膜の材料としては、基体１０１に対して密着性の良い有機樹脂材料であれば、その種類は特に限定されるものではないが、特に、ポリエステル樹脂、アルキッド樹脂、アクリル樹脂、エポキシ樹脂、２液硬化型ポリウレタン樹脂などの塗料が好適である。また、フィルムの材料としては、ポリエチレン、ポリカーボネート樹脂、ポリアミド樹脂、ポリイミド樹脂などが挙げられる。樹脂層１０２を塗装膜で形成する場合、材料を溶解した塗料を用いた塗布法により基体１０１上に作製することができる。また、樹脂層１０２をフィルムで形成する場合、フィルムを接着剤や、熱等により基体１０１に貼り付けることで基体１０１上に作製することができる。樹脂層１０２の厚みは、好ましくは３〜１００μｍであり、より好ましくは５〜６０μｍである。樹脂層１０２は、基材の材質に応じて形成することができる。
【００３０】
光反射層１０３は、採光装置１の採光部１１から取り込まれた光を導光させるために形成される層である。光反射層１０３は、採光装置１の採光部１１から取り込まれた光を効率的に正反射させることができるものであればよく、特に限定されないが、たとえば、銀又は銀合金により形成することができる。
【００３１】
銀又は銀合金からなる光反射層１０３は、銀鏡反応により銀を還元析出させる無電解めっき法、たとえば、スプレーめっき法により形成することができる。その他に、銀イオンを含む水溶液中で電気分解を行なう電気めっき法や、減圧雰囲気下にて銀を蒸発させて皮膜を形成する蒸着法などにより形成することができる。
【００３２】
光反射層１０３を銀又は銀合金により形成する場合には、光反射層１０３の厚みは、好ましくは０．０４〜０．３μｍであり、より好ましくは０．０６〜０．１５μｍである。光反射層１０３の厚みが薄すぎると、ピンホールが発生してしまい、正反射率が低下するおそれがある。一方、光反射層１０３の厚みが厚すぎると、所望の光沢面を得ることができず、正反射率が低下するおそれがある。また、経済的にも、光反射層１０３の厚みが厚すぎることは望ましくない。
【００３３】
光反射層１０３を銀合金からなるものとする場合においては、主として銀を含有する合金とすればよいが、銀合金中の銀の含有割合が、好ましくは８０重量％以上であり、より好ましくは９９重量％以上である。
【００３４】
また、光反射層１０３は、アルミニウム又はアルミニウム合金により形成してもよい。光反射層１０３をアルミニウム又はアルミニウム合金により形成する場合には、蒸着法、又はイオンプレーティング法などの乾式めっき法を用いることができる。特に、蒸着法により形成されたものが、高い正反射率を確保できるため好適である。
【００３５】
光反射層１０３をアルミニウム又はアルミニウム合金により形成する場合には、光反射層１０３の厚みは、好ましくは０．０４〜０．３μｍである。光反射層１０３の厚みが薄すぎると、ピンホールが発生してしまい、正反射率が低下するおそれがある。一方、光反射層１０３の厚みが厚すぎると、所望の光沢面を得ることができず、正反射率が低下するおそれがある。
【００３６】
また、光反射層１０３としては、屈折率の異なるフィルムを積層して光を反射するように設計した積層フィルムであってもよい。
【００３７】
なお、本実施形態に係る採光装置１を照明装置として用いる場合には、光反射層１０３としては、可視光帯域である波長３８０〜７８０ｎｍ程度の光の正反射率が高いものを用いることが好ましい。また、採光装置１を植物育成用の光照射装置として用いる場合には、光反射層１０３としては、光合成に有用な波長４００〜１０００ｎｍ程度の光の正反射率が高いものを用いることが好ましい。本実施形態では、光反射層１０３としては、目的とする波長帯域の光の全反射率に対する正反射率が６０％以上のものを用いることが好ましい。
【００３８】
保護層１０４は、光反射層１０３を保護するための層である。光反射層１０３は、大気に露出されると変色したり、汚れなどが生じたりする場合がある。また、光反射層１０３に付着した砂塵、埃を洗浄する場合、光反射層１０３に洗剤による変色跡が残ってしまう場合もある。そのため、保護層１０４はこれらを防止するために光反射層１０３上に設けられる層であり、保護層１０４を設けることにより、長期間にわたり、採光装置１の性能維持および保守管理が可能となる。
【００３９】
保護層１０４は、有機樹脂材料、もしくは無機材料、またはこれらの混合物からなる膜を用いる。あるいは、有機樹脂材料の膜と、無機材料の膜との２層で構成してもよい。
【００４０】
有機樹脂材料としては、透明であり、かつ薄層化が可能な材料であればよいが、たとえば、ポリエステル樹脂、アクリル樹脂、シリコーン樹脂などを用いることができる。また、無機材料としては、耐汚染性に優れる酸化チタンなどを用いることができる。保護層１０４を、有機樹脂材料で形成する場合には、たとえば、有機樹脂材料を溶解した塗布液を用いた塗布法、または、有機樹脂材料をフィルム状にして貼り付ける方法などにより作製することができる。
【００４１】
また、本実施形態では、保護層１０４を増反射膜としてもよい。増反射膜は、チタン酸化物などの大きな屈折率の材料からなる層と、シリコン酸化物などの小さな屈折率の材料からなる層を２層に積層したものであり、それらの各層の光学的厚さ（物理的な膜厚×屈折率）をλ／４（λ：反射しようとする光の波長）として全体の光学的厚さをλ／２としたものである。保護層１０４を増反射膜とすることで、光反射面１０の正反射率をより一層向上させることができる。
【００４２】
保護層１０４の厚みは、好ましくは１〜２００μｍであり、より好ましくは３〜６０μｍである。保護層１０４の厚みが薄すぎると、光反射層１０３の保護効果が小さくなり、光反射層１０３に変色が発生したり、汚れが生じやすくなったりするおそれがある。一方、保護層１０４の厚みが厚すぎると、正反射率が低下するおそれがある。
【００４３】
本実施形態に係る採光装置１は、上述した光反射面１０をそのまま用いて、又は光反射面１０を貼付した材料を用いて、たとえば図１Ａに示すような形状に加工成形して形成される。光反射面１０を加工成形する方法としては、特に限定されないが、たとえば、ロールフォーミング加工や、プレス加工などが挙げられる。ロールフォーミング加工は、複数のローラーの間に鋼板を通すことにより、変形・加工する方法である。本実施形態では、光反射面１０の反射面への傷つきを防止することができるという点より、プレス加工が好ましい。
【００４４】
また、本実施形態では、ビルの吹き抜け等の壁で囲まれた空間において、壁に光反射面１０を設置することで光路を形成し、これを採光装置１としてもよい。
【００４５】
次いで、本実施形態に係る採光装置１を構成する有機ＥＬ照明２０又は無機ＥＬ照明２０について、図３を参照して説明する。有機ＥＬ照明２０又は無機ＥＬ照明２０としては、特に限定されず、光透過性を有する公知の有機ＥＬ照明又は無機ＥＬ照明を用いればよいが、たとえば、透明基板２１上に透明電極２２と有機発光層２３又は無機発光層２３と金属電極又は透明電極２４（以下、金属電極等２４という）とを順に積層したものを用いることができる。ここで、有機発光層２３は、種々の有機薄膜を積層してなる光透過性の積層体であり、例えばトリフェニルアミン誘導体等からなる正孔注入層と、アントラセン等の発光物質からなる発光層との積層体や、あるいはこのような発光層とペリレン誘導体等からなる電子注入層の積層体や、またあるいはこれらの正孔注入層、発光層、および電子注入層の積層体等、種々の組み合わせをもった公知の構成とすることができる。また、無機発光層２３は、硫化亜鉛に銅を添加したものや、スズ酸カルシウムにチタンを添加したものや、スズ酸カルシウムにテルビウムを添加したものなど、種々の組み合わせを持った公知の構成とすることができる。なお、有機ＥＬ照明２０又は無機ＥＬ照明２０は、金属電極等２４上に、金属電極等２４を保護するために光透過性を有する封止層などをさらに備えていてもよい。
【００４６】
有機ＥＬ照明２０又は無機ＥＬ照明２０では、透明電極２２と金属電極等２４とに電圧を印加することによって、有機発光層２３又は無機発光層２３に正孔と電子とが注入され、これら正孔と電子との再結合によって生じるエネルギーが発光物資を励起し、励起された発光物質が基底状態に戻るときに光を放射する、という原理で有機発光層２３又は無機発光層２３が発光する。
【００４７】
本実施形態では、有機ＥＬ照明２０又は無機ＥＬ照明２０は、図３中の矢印で示すように、有機発光層２３又は無機発光層２３が発光した光を、透明基板２１側及び金属電極等２４側の両面から放射する。
【００４８】
本実施形態では、このような光透過性の有機ＥＬ照明２０又は無機ＥＬ照明２０を放光部１３の放光口１３１に設置し（すなわち、有機ＥＬ照明２０又は無機ＥＬ照明２０を、放光部１３と目的箇所との間に設置し）、採光装置１により導光した光を、放光口１３１から有機ＥＬ照明２０又は無機ＥＬ照明２０を透過させて目的箇所へ放射する。この際において、有機ＥＬ照明２０又は無機ＥＬ照明２０を必要に応じて発光させることで、採光装置１によって導光された光の強度や色味を適宜調整する。本実施形態によれば、光源として光透過性の有機ＥＬ照明２０又は無機ＥＬ照明２０を用いることにより、採光装置１における光の導光を妨げることなく、放光口１３１から放射される光の強度及び色味が調整される。そのため、本実施形態の採光装置１では、効率的に、導光された光の強度及び色味を調整できる。
【００４９】
なお、有機ＥＬ照明２０又は無機ＥＬ照明２０は、波長３８０〜１０００ｎｍ帯域の光透過率が、好ましくは３０％以上、より好ましくは６０％以上である。特に、採光装置１を照明装置として用いる場合には、有機ＥＬ照明２０又は無機ＥＬ照明２０は、可視光帯域である波長３８０〜７８０ｎｍ帯域の光透過率が、好ましくは３０％以上、より好ましくは６０％以上である。また、採光装置１を植物育成用の光照射装置として用いる場合には、有機ＥＬ照明２０又は無機ＥＬ照明２０は、光合成に有用な波長４００〜１０００ｎｍ帯域の光透過率が、好ましくは３０％以上、より好ましくは６０％以上である。有機ＥＬ照明２０又は無機ＥＬ照明２０の光透過率を上記範囲とすることにより、導光された光が、有機ＥＬ照明２０又は無機ＥＬ照明２０を高い透過率で透過するため、放光口１３１から放射される光の強度の減衰が抑制され、採光装置１による導光の効率が向上する。
【００５０】
本実施形態では、有機ＥＬ照明２０又は無機ＥＬ照明２０を、採光装置１に取り込まれた光の強度を広い波長帯域で全体的に強める用途で用いる場合には、有機ＥＬ照明２０又は無機ＥＬ照明２０の発光波長帯域としては、３８０〜１０００ｎｍ帯域を含むことが好ましい。特に、採光装置１を照明装置として用いる場合には、有機ＥＬ照明２０又は無機ＥＬ照明２０の発光波長帯域は、３８０〜７８０ｎｍ帯域を含むことが好ましい。また、採光装置１を植物育成用の光照射装置として用いる場合には、有機ＥＬ照明２０又は無機ＥＬ照明２０の発光波長帯域は、４００〜１０００ｎｍ帯域を含むことが好ましい。これにより、有機ＥＬ照明２０又は無機ＥＬ照明２０から発光された光を用いて、採光装置１で導光された光の強度を適切に調整することができる。
【００５１】
また、有機ＥＬ照明２０又は無機ＥＬ照明２０を、採光装置１に取り込まれた光の色味を補正する用途で用いる場合には、有機ＥＬ照明２０又は無機ＥＬ照明２０として、採光装置１の光反射面１０による反射で減衰する波長帯域の光を発光する有機ＥＬ照明又は無機ＥＬ照明を用いる。
【００５２】
たとえば、光反射面１０として、銀又は銀合金からなる光反射層１０３を備える光反射面を用いた際には、光反射面１０では３５０〜５００ｎｍの波長帯域の光が吸収され易く、採光装置１から放射される光は黄色に変化する傾向にあるため、この場合には、４００〜５００ｎｍの発光波長帯域を有する有機ＥＬ照明２０又は無機ＥＬ照明２０を用いる。具体的には、全発光波長帯域における発光強度の積分値Ｉａｌｌに対する、４００〜５００ｎｍの発光波長帯域における発光強度の積分値Ｉ４００〜５００の比（Ｉ４００〜５００／Ｉａｌｌ）が、好ましくは１／３以上、より好ましくは２／３以上である有機ＥＬ照明２０又は無機ＥＬ照明２０を用いる。これにより、光反射面１０として、銀又は銀合金からなる光反射層１０３を備える光反射面を用いた場合に、採光装置１で導光された光の色味を適切に補正することができる。なお、積分値Ｉａｌｌとしては、可視光領域における発光強度の積分値としてもよく、たとえば３８０〜７８０ｎｍの発光波長帯域における発光強度の積分値とすることができる。
【００５３】
また、光反射面１０として、アルミニウム又はアルミニウム合金からなる光反射層１０３を備える光反射面を用いた際には、光反射面１０では、６００〜７００ｎｍの波長帯域の光が吸収され易く、採光装置１から放射される光は青色に変化する傾向にあるため、この場合には、６００〜７００ｎｍの発光波長帯域を有する有機ＥＬ照明２０又は無機ＥＬ照明２０を用いる。具体的には、全発光波長帯域における発光強度の積分値Ｉａｌｌに対する、６００〜７００ｎｍの発光波長帯域における発光強度の積分値Ｉ６００〜７００の比（Ｉ６００〜７００／Ｉａｌｌ）が、好ましくは１／３以上、より好ましくは２／３以上である有機ＥＬ照明２０又は無機ＥＬ照明２０を用いる。これにより、光反射面１０として、アルミニウム又はアルミニウム合金からなる光反射層１０３を備える光反射面を用いた場合に、採光装置１で導光された光の色味を適切に補正することができる。
【００５４】
なお、有機ＥＬ照明２０又は無機ＥＬ照明２０の発光波長帯域は、たとえば、有機発光層２３又は無機発光層２３を構成する発光物質として、青色、緑色、赤色などに発光する材料を単独または混合して用いることで、所望の帯域に調整することができる。あるいは、青色、緑色、赤色などに発光する素子を並べて配置することで有機発光層２３又は無機発光層２３を形成し、各素子の発光を別々に制御することで、有機ＥＬ照明２０又は無機ＥＬ照明２０の発光波長帯域を調整することもできる。
【００５５】
また、図４Ａに示すように特定の波長を透過させないようにするカラーフィルタ３０を有機ＥＬ照明２０又は無機ＥＬ照明２０上に設けたり、有機ＥＬ照明２０又は無機ＥＬ照明２０の透明基板２１自体をカラーフィルタとすることで、有機ＥＬ照明２０又は無機ＥＬ照明２０の発光波長帯域を調整してもよい。有機発光層２３又は無機発光層上にカラーフィルタ３０を設ける場合には、カラーフィルタ３０内に光を拡散させる拡散粒子を添加したり、カラーフィルタ３０表面に賦形による微細加工を施したりしてもよい。
【００５６】
本実施形態では、上述したように、採光装置１に有機ＥＬ照明２０又は無機ＥＬ照明２０を設けるが、図４Ｂに示すように、有機ＥＬ照明２０又は無機ＥＬ照明２０に加えて、さらに別の光透過性の有機ＥＬ照明２０ａ又は無機ＥＬ照明２０ａを設けてもよい。この際においては、有機ＥＬ照明２０又は無機ＥＬ照明２０を、採光装置１により導光された光を広い波長帯域で全体的に強めるための主光源として用い、一方、有機ＥＬ照明２０ａ又は無機ＥＬ照明２０ａを、上述した光反射面１０に吸収され易い波長帯域の光の強度を強くするための補助光源として用いる。
【００５７】
たとえば、図４Ｂにおいては、主光源である有機ＥＬ照明２０又は無機ＥＬ照明２０としては、上述したように、照明装置や植物育成用の光照射装置などの採光装置１の用途に応じて、３８０〜７８０ｎｍ帯域や４００〜１０００ｎｍ帯域などの広い波長帯域での発光をする有機ＥＬ照明又は無機ＥＬ照明を用いる。また、補助光源である光透過性の有機ＥＬ照明２０ａ又は無機ＥＬ照明２０ａとしては、光反射面１０を構成する銀やアルミニウムなどの吸収波長である、４００〜５５０ｎｍ帯域や６００〜７００ｎｍ帯域などの狭い帯域での発光をする有機ＥＬ照明又は無機ＥＬ照明を用いる。
【００５８】
なお、有機ＥＬ照明２０又は無機ＥＬ照明２０及び光透過性の有機ＥＬ照明２０ａ又は無機ＥＬ照明２０ａの設置位置は、図４Ｂでは、有機ＥＬ照明２０又は無機ＥＬ照明２０が放光口１３１側にある例を示したが、図４Ｃに示すように、有機ＥＬ照明２０ａ又は無機ＥＬ照明２０ａが放光口１３１側にあってもよい。また、補助光源としての光透過性の有機ＥＬ照明２０ａ又は無機ＥＬ照明２０ａは、複数の有機ＥＬ照明又は無機ＥＬ照明を積層させたものとしてもよく、この際には、積層させた有機ＥＬ照明又は無機ＥＬ照明の発光波長帯域をそれぞれ異なるものとし、所望の発光波長帯域の有機ＥＬ照明又は無機ＥＬ照明のみを発光させるようにして、光透過性の有機ＥＬ照明２０ａ又は無機ＥＬ照明２０ａから様々な波長帯域の光を発光できるようにしてもよい。
【００５９】
さらに、本実施形態では、図５Ａに示す採光装置１ａのように、放光口１３１に設けた有機ＥＬ照明２０又は無機ＥＬ照明２０に加えて、さらに、採光装置１ａ内の光反射面１０上に別の有機ＥＬ照明２０ｂ又は無機ＥＬ照明２０ｂを設けてもよい。ここで、図５Ａは、本実施形態に係る採光装置１ａの全体構成を示す斜視図である。また、図５Ｂは、図５Ａに示す採光装置１ａをｘ軸の正方向に見た側面図と、ｙ軸の正方向に見た正面図とを示す。なお、図５Ｂ中の一点鎖線は、太陽ＳＮからの太陽光が、採光部１１から取り込まれた際の光路の一例を示す。
【００６０】
図５Ａに示す採光装置１ａでは、有機ＥＬ照明２０ｂ又は無機ＥＬ照明２０ｂは、有機ＥＬ照明２０又は無機ＥＬ照明２０と同様に、採光装置１ａによって導光された光の強度や色味を調整するために用いられる。本実施形態によれば、図５Ａに示すように、採光装置１ａの光反射面１０上に有機ＥＬ照明２０ｂ又は無機ＥＬ照明２０ｂを設けることにより、有機ＥＬ照明２０又は無機ＥＬ照明２０に加えて有機ＥＬ照明２０ｂ又は無機ＥＬ照明２０ｂを用いて、より適切に、採光装置１ａにて導光される光の強度及び色味を調整できる。本実施形態では、有機ＥＬ照明２０ｂ又は無機ＥＬ照明２０ｂの数や大きさは特に限定されず、また、有機ＥＬ照明２０ｂは又は無機ＥＬ照明２０ｂ、光反射面１０の一部を覆うように設けてもよいし、光反射面１０の全部を覆うように設けてもよい。
【００６１】
また、図５Ａに示す採光装置１ａでは、図５Ｃに示すように、有機ＥＬ照明２０ｂ又は無機ＥＬ照明２０ｂを、光反射面１０に対して傾斜させて設置してもよい。図５Ｃに示す採光装置１ａのように、有機ＥＬ照明２０ｂ又は無機ＥＬ照明２０ｂを、放光口１３１に向くように傾斜させることで、有機ＥＬ照明２０ｂ又は無機ＥＬ照明２０ｂの発光による光が、より多く放光口１３１から放射されることとなり、より適切に太陽光の強度及び色味を調整できる。この際においては、有機ＥＬ照明２０ｂ又は無機ＥＬ照明２０ｂの光反射面１０に対する傾斜角度θＥＬ１，θＥＬ２は、好ましくは１〜３０°である。傾斜角度θＥＬ１，θＥＬ２を上記範囲とすることにより、有機ＥＬ照明２０ｂ又は無機ＥＬ照明２０ｂにより、採光装置１における導光を妨げることなく、効率よく太陽光の強度及び色味を調整できる。
【００６２】
なお、図５Ａに示す有機ＥＬ照明２０ｂ又は無機ＥＬ照明２０ｂとしては、図３に示す有機ＥＬ照明２０又は無機ＥＬ照明２０と同様に、光透過性の有機ＥＬ照明又は無機ＥＬ照明を用いることができる。この場合には、採光装置１ａに取り込まれて有機ＥＬ照明２０ｂ又は無機ＥＬ照明２０ｂに入射した光は、有機ＥＬ照明２０ｂ又は無機ＥＬ照明２０ｂを透過して、採光装置１の光反射面１０で反射されることとなる。
【００６３】
あるいは、図５Ａに示す有機ＥＬ照明２０ｂ又は無機ＥＬ照明２０ｂとしては、片面発光型の有機ＥＬ照明又は無機ＥＬ照明を用いてもよい。ここで、片面発光型の有機ＥＬ照明又は無機ＥＬ照明は、採光装置１ａによって導光しようとする波長帯域の光を反射する性質を有する有機ＥＬ照明又は無機ＥＬ照明である。片面発光型の有機ＥＬ照明又は無機ＥＬ照明としては、たとえば、図６Ａに示すように、透明基板２１、透明電極２２、有機発光層２３又は無機発光層２３、及び金属電極等２４に加えて、光を反射するための反射層２５をさらに備える有機ＥＬ照明又は無機ＥＬ照明が挙げられる。これにより、片面発光型の有機ＥＬ照明又は無機ＥＬ照明では、図６Ａ中の矢印で示すように、有機発光層２３又は無機発光層２３から透明基板２１側に向かって発光した光が透明電極２２及び透明基板２１を透過して放射されるとともに、有機発光層２３又は無機発光層２３から金属電極等２４側に向かって発光した光が、反射層２５で反射した後、金属電極等２４、透明電極２２及び透明基板２１を透過して放射されることにより、透明基板２１側からのみ光を放射する。
【００６４】
あるいは、片面発光型の有機ＥＬ照明又は無機ＥＬ照明としては、図６Ｂに示すように、上述した反射層２５を設けることなく、金属電極等２４ａを光反射性の導電体で形成した有機ＥＬ照明又は無機ＥＬ照明を用いてもよい。図６Ｂに示す有機ＥＬ照明又は無機ＥＬ照明においては、有機発光層２３又は無機発光層２３から透明基板２１側に向かって発光した光が透明電極２２及び透明基板２１を透過して放射されるとともに、有機発光層２３又は無機発光層２３から金属電極等２４ａ側に向かって発光した光が、金属電極等２４ａで反射した後、透明電極２２及び透明基板２１を透過して放射されることにより、図６Ｂに示すように、透明基板２１側からのみ光が放射される。すなわち、図６Ｂに示す有機ＥＬ照明又は無機ＥＬ照明では、金属電極等２４ａが、上述した反射層２５として機能する。
【００６５】
本実施形態では、図５Ａに示す有機ＥＬ照明２０ｂ又は無機ＥＬ照明２０ｂとして片面発光型の有機ＥＬ照明又は無機ＥＬ照明を用いる場合には、有機ＥＬ照明２０又は無機ＥＬ照明２０は、透明基板２１を内面側にして採光装置１に設置される。この場合に、採光装置１に取り込まれた光が片面発光型の有機ＥＬ照明又は無機ＥＬ照明に入射した際には、当該光は、金属電極等２４ａ又は反射層２５で反射されることとなる。
【００６６】
本実施形態では、上述した片面発光型の有機ＥＬ照明又は無機ＥＬ照明による波長３８０〜１０００ｎｍ帯域の光の全反射率に対する正反射率は、好ましくは３０％以上、より好ましくは５０％以上である。片面発光型の有機ＥＬ照明又は無機ＥＬ照明における上記正反射率を上記範囲とすることにより、採光装置１に取り込まれた光が片面発光型の有機ＥＬ照明又は無機ＥＬ照明で反射する場合において、光の強度の減衰を抑制することができる。
【００６７】
なお、有機ＥＬ照明２０ｂ又は無機ＥＬ照明２０ｂの設置位置は、特に限定されないが、採光装置１の放光部１３とすることが好ましい。すなわち、有機ＥＬ照明２０ｂ又は無機ＥＬ照明２０ｂが、採光装置１の採光部１１や導光部１２に設置された場合には、有機ＥＬ照明２０又は無機ＥＬ照明２０の発光により放射される光が、採光装置１内で導光されて放光部１３に到達する際には、光の強度が減衰したり、色味が変化したりする場合がある。これに対し、有機ＥＬ照明２０ｂ又は無機ＥＬ照明２０ｂを、放光部１３に設置することにより、すなわち放光口１３１付近に設置することにより、有機ＥＬ照明２０ｂ又は無機ＥＬ照明２０ｂの発光による光が、直接、放光口１３１から放射されることとなり、有機ＥＬ照明２０ｂ又は無機ＥＬ照明２０ｂからの光を効率的に利用することができる。
【００６８】
また、有機ＥＬ照明２０ｂ又は無機ＥＬ照明２０ｂの設置位置は、採光装置１内において、取り込まれる光が有機ＥＬ照明２０又は無機ＥＬ照明２０に入射し難い位置とすることが好ましい。たとえば、図５Ａ，図５Ｂにおいて、ｙ軸の正方向が北、ｙ軸の負方向が南、ｘ軸の正方向が西、ｘ軸の負方向が東である場合を例に説明する。図５Ａ示す採光装置１ａにおいて、採光口１１１が南の方角（ｙ軸の負方向）を向いており、採光装置１が南から多くの太陽光が取り込まれる地域に設置されている場合には、採光装置１ａ内では、取り込まれる光は、図５Ｂに示すように、南（ｙ軸の負方向）に向いた光反射面１０や、北（ｙ軸の正方向）に向いた光反射面１０にて反射することが多くなる。そのため、この場合には、有機ＥＬ照明２０ｂ又は無機ＥＬ照明２０ｂを、西（ｘ軸の正方向）に向いた光反射面１０上、又は東（ｘ軸の負方向）に向いた光反射面１０上、すなわち、取り込まれる光が入射し難い位置に設置することが好ましい。
【００６９】
具体的には、本実施形態では、有機ＥＬ照明２０ｂ又は無機ＥＬ照明２０ｂの設置方向としては、有機ＥＬ照明２０又は無機ＥＬ照明２０の表面が向く方位角を、採光口１１１が向く方位角に対して、好ましくは３０〜１５０°、より好ましくは６０〜１２０°とする。有機ＥＬ照明２０ｂ又は無機ＥＬ照明２０ｂの表面が向く方位角を上記範囲とすることにより、有機ＥＬ照明２０ｂ又は無機ＥＬ照明２０ｂに入射する光量が少なくなり、その結果、採光装置１により導光される光の強度の減衰や、色味の変化を抑制できる。
【００７０】
すなわち、本実施形態に係る採光装置１ａでは、通常、光反射面１０で直接反射する光と、有機ＥＬ照明２０ｂ又は無機ＥＬ照明２０ｂに入射して反射する光とでは、光反射面１０で直接反射する光の方が正反射率が高い傾向にある。そのため、採光装置１では、上述したように、有機ＥＬ照明２０ｂ又は無機ＥＬ照明２０ｂを、取り込まれる光が入射し難い位置に設置することにより、有機ＥＬ照明２０ｂ又は無機ＥＬ照明２０ｂに入射する光がより少なくなり、取り込まれる光の強度の減少や色味の変化を抑制できる。
【００７１】
なお、上述した図１Ａに示す採光装置１や図５Ａに示す採光装置１ａでは、放光口１３１を採光装置１の底部（ｚ軸の負方向）に設けた例を示したが、本実施形態では、放光口１３１を採光装置１ａの側方（ｙ軸方向又はｘ軸方向）に設けてもよい。この際においては、採光装置１ａの側方に設けた放光口１３１に、光透過性の有機ＥＬ照明２０又は無機ＥＬ照明２０を設置する。
【００７２】
また、本実施形態では、採光装置１の形状は、図１Ａや図５Ａに示すような縦型の形状（導光部１２が垂直方向に延在した形状）に限定されず、図７Ａ，図７Ｂに示す採光装置１ｂ，１ｃのように、横型の形状（導光部１２が水平方向に延在した形状）としてもよい。なお、図７Ａ，図７Ｂは、横型の採光装置１ｂ，１ｃをｘ軸正方向に見た場合における側面図である。図７Ａ，図７Ｂに示す採光装置１ｂ，１ｃでは、導光部１２を含む採光部１１から放光部１３までの部分は、光が外部に漏れないように、四角柱等の形状の筒となっている。また、採光部１１及び放光部１３では、採光口１１１及び放光口１３１で光が通過できるようになっている。採光装置１ｂ，１ｃでは、放光部１３に放光口１３１が設けられているだけでなく、導光部１２にも放光口１３１が設けられており、それぞれの放光口１３１には、有機ＥＬ照明２０又は無機ＥＬ照明２０が設けられている。なお、図７Ａ，図７Ｂにおいては、採光部１１から取り込まれた太陽光の経路の一例を、一点鎖線で示す。
【００７３】
図７Ａに示す採光装置１ｂでは、採光部１１から取り込まれた光が、導光部１２にて反射しながら導光され、まず、導光部１２に設けられた放光口１３１から、有機ＥＬ照明２０又は無機ＥＬ照明２０を透過して放射される。さらに、導光部１２にて反射しながら導光された光は、放光部１３にて斜めに設置された有機ＥＬ照明２０ｂ又は無機ＥＬ照明２０ｂの位置で反射し、放光部１３の放光口１３１から、有機ＥＬ照明２０又は無機ＥＬ照明２０を透過して放射される。ここで、採光装置１ｂでは、それぞれの放光口１３１に設置された有機ＥＬ照明２０又は無機ＥＬ照明２０と、放光部１３にて斜めに設置された有機ＥＬ照明２０ｂ又は無機ＥＬ照明２０ｂとにより、導光された光の強度や色味を調整している。
【００７４】
ここで、有機ＥＬ照明２０ｂ又は無機ＥＬ照明２０ｂは、図７Ｂに示す採光装置１ｃのように、曲面に設置されていてもよい。すなわち、有機ＥＬ照明２０ｂ又は無機ＥＬ照明２０ｂを構成する透明基板２１等をフレキシブルな材料で形成することで、有機ＥＬ照明２０ｂ又は無機ＥＬ照明２０ｂを曲げ可能なものとし、この有機ＥＬ照明２０ｂ又は無機ＥＬ照明２０ｂを、採光装置１ｃ内の曲面部分に設置してもよい。本実施形態では、採光装置１から放射される光の強度や色味を調整するための光源として、曲面にも設置可能な有機ＥＬ照明２０又は無機ＥＬ照明２０を用いるため、設置位置の自由度が高く、機能性やデザイン性に優れた採光装置１を設計することができる。
【００７５】
また、本実施形態では、採光装置１の形状は、図７Ｃに示す採光装置１ｄのように、全体として略Ｌ字型の形状（導光部１２が、垂直方向に延在した垂直部１２１と、水平方向に延在した水平部１２２とからなる形状）としてもよい。なお、図７Ｃに示す採光装置１ｄでは、導光部１２を含む採光部１１から放光部１３までの部分は、光が外部に漏れないように、四角柱等の形状の筒となっている。また、採光部１１及び放光部１３では、採光口１１１及び放光口１３１で光が通過できるようになっている。これにより、採光装置１を建物に設置するような場合に、採光装置１の形状を、建物の構造に応じて、太陽光を目的箇所まで適切に導光できる形状とすることができる。
【００７６】
本実施形態の採光装置１は以上のようにして構成される。
【００７７】
本実施形態に係る採光装置１は、たとえば、図８に示すようにして、建物に組込むことができる。図８は、採光装置１ｅ，１ｆ，１ｇを組込んだ建物の断面図である。図８では、Ｌ字型の採光装置１ｅと、縦型の採光装置１ｆと、横型の採光装置１ｇとがそれぞれ建物内に設置されている。
【００７８】
図８において、Ｌ字型の採光装置１ｅでは、採光口１１１ａから取り込まれた太陽光は、導光部１２ａで導光され、有機ＥＬ照明２０又は無機ＥＬ照明２０により強度及び色味が調整されて、放光口１３１ａから、有機ＥＬ照明２０又は無機ＥＬ照明２０を透過して、部屋である目的箇所ＳＰ１に放射される。また、縦型の採光装置１ｆでは、採光口１１１ｂから取り込まれた太陽光は、導光部１２ｂで導光され、放光口１３１ｂ，１３１ｃから、それぞれ有機ＥＬ照明２０又は無機ＥＬ照明２０を透過して、廊下である目的箇所ＳＰ２，３にそれぞれ放射されるとともに、放光口１３１ｄから、有機ＥＬ照明２０又は無機ＥＬ照明２０を透過して、部屋である目的箇所ＳＰ４に放射される。さらに、横型の採光装置１ｇでは、採光口１１１ｃから取り込まれた太陽光は、導光部１２ｃで導光され、放光口１３１ｅ，１３１ｆから、それぞれ有機ＥＬ照明２０又は無機ＥＬ照明２０を透過して、部屋である目的箇所ＳＰ４に放射される。
【００７９】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００８０】
たとえば、上述した実施形態では、採光装置１は直方体形状、すなわち、ｘｙ平面で切断したときの断面が四角形である例を示したが、採光装置１の形状はこのような形状に限定されず、たとえば、円筒形状、横断面が多角形の筒形状であってもよい。
【００８１】
また、上述した実施形態では、有機ＥＬ照明２０又は無機ＥＬ照明２０及び放光口１３１の面積（ｘｙ平面の面積）が同じである例を示したが、有機ＥＬ照明２０又は無機ＥＬ照明２０の面積は、図９Ａに示す採光装置１のように、放光口１３１より大きくてもよい。ここで、図９Ａは、有機ＥＬ照明２０又は無機ＥＬ照明２０を放光口１３１より大きくした採光装置１を、ｘ軸の正方向に見た場合における断面図、及びｚ軸の正方向に見た場合における下面図である。
【００８２】
なお、図９Ａに示すように有機ＥＬ照明２０又は無機ＥＬ照明２０を放光口１３１より大きくすると、有機ＥＬ照明２０又は無機ＥＬ照明２０のうち、放光口１３１を覆っている部分（図９Ａにて網点で示した部分）は、採光装置１により導光されて放光口１３１から放射される光と、有機ＥＬ照明２０又は無機ＥＬ照明２０の発光による光とが合成されることで、光の強度が特に強くなる。一方で、有機ＥＬ照明２０又は無機ＥＬ照明２０のうち、放光口１３１を覆っていない部分（図９Ａに示す有機ＥＬ照明２０又は無機ＥＬ照明２０のうち、網点で示した以外の部分）は、有機ＥＬ照明２０又は無機ＥＬ照明２０の発光による光のみが放射されるため、光の強度が相対的に弱くなる。そのため、図９Ａに示す採光装置１では、放射する光の強度にムラが生じ易くなる傾向にある。
【００８３】
そのため、有機ＥＬ照明２０又は無機ＥＬ照明２０を放光口１３１より大きくする場合には、採光装置１を、たとえば図９Ｂ〜図９Ｅ，図９Ｇに示す形態とすることにより、採光装置１から放射する光の強度のムラを抑制できる。なお、図９Ｂ〜図９Ｅ，図９Ｇは、採光装置１を、ｘ軸の正方向に見た場合における断面図である。
【００８４】
たとえば、図９Ｂに示す採光装置１のように、放光口１３１に光を拡散するレンズ４１を設置して、レンズ４１により拡散された光の光路に、有機ＥＬ照明２０又は無機ＥＬ照明２０を設置する。なお、図９Ｂにおいて、有機ＥＬ照明２０又は無機ＥＬ照明２０は、ケース４２によって固定されている。これにより、採光装置１により導光されて放光口１３１から放射される光が、有機ＥＬ照明２０又は無機ＥＬ照明２０の全体を透過するようになるため、その結果、採光装置１から有機ＥＬ照明２０又は無機ＥＬ照明２０を透過して放射される光の強度のムラが低減され、採光装置１により均一な面発光が得られる。
【００８５】
あるいは、図９Ｃに示す採光装置１のように、放光口１３１と有機ＥＬ照明２０又は無機ＥＬ照明２０との間に、光を導光する機能及び光を拡散する機能を有する光拡散板４３と、光を導光する機能を有する導光板４４とを設ける。なお、図９Ｃにおいて、光拡散板４３、導光板４４、及び有機ＥＬ照明２０又は無機ＥＬ照明２０は、ケース４２によって固定されている。これにより、放光口１３１から放射された光が、光拡散板４３で拡散し、有機ＥＬ照明２０又は無機ＥＬ照明２０の全体を透過するようになるため、その結果、採光装置１から放射される光の強度のムラが低減され、採光装置１により均一な面発光が得られる。
【００８６】
また、図９Ｄに示す採光装置１のように、放光口１３１を覆うように有機ＥＬ照明２０又は無機ＥＬ照明２０を設け、この有機ＥＬ照明２０又は無機ＥＬ照明２０上に、光を拡散する機能を有するドーム形状の光拡散ケース４５を設置する。これにより、放光口１３１から放射された光と、有機ＥＬ照明２０又は無機ＥＬ照明２０からの発光とが、光拡散ケース４５で拡散するようになるため、その結果、採光装置１から放射される光の強度のムラが低減され、採光装置１により均一な面発光が得られる。
【００８７】
あるいは、図９Ｅ，図９Ｆに示す採光装置１のように、有機ＥＬ照明２０又は無機ＥＬ照明２０にルーバー４６を設置する。ここで、図９Ｆは、図９Ｅに示す採光装置１の有機ＥＬ照明２０又は無機ＥＬ照明２０及びルーバー４６を、ｚ軸の負方向に見た場合における上面図である。ルーバー４６としては、特に限定されないが、たとえば図９Ｆに示すように、ｚ軸の正方向に斜めに立ち上がる板４６１が格子状に並んだものを用いることができる。これにより、放光口１３１から放射された光がルーバー４６により拡散するようになるため、その結果、採光装置１から放射される光の強度のムラが低減され、採光装置１により均一な面発光が得られる。なお、図９Ｅで示す例では、有機ＥＬ照明２０又は無機ＥＬ照明２０の放光部１３側の面にルーバー４６を設けた例を示したが、有機ＥＬ照明２０又は無機ＥＬ照明２０の逆側の面にルーバー４６を設けてもよい。
【００８８】
また、図９Ｇに示す採光装置１のように、放光口１３１に設けた有機ＥＬ照明２０又は無機ＥＬ照明２０を、光を拡散する機能を有する光拡散フィルム４７で覆うようにする。これにより、放光口１３１から放射された光と、有機ＥＬ照明２０又は無機ＥＬ照明２０からの発光とが、光拡散フィルム４７で拡散するようになるため、その結果、採光装置１から放射される光の強度のムラが低減され、採光装置１により均一な面発光が得られる。
【符号の説明】
【００８９】
１，１ａ〜１ｇ…採光装置
１０…光反射面
１０１…基体
１０２…樹脂層
１０３…光反射層
１０４…保護層
１１…採光部
１１１，１１１ａ〜１１１ｃ…採光口
１２，１２ａ〜１２ｃ…導光部
１３…放光部
１３１，１３１ａ〜１３１ｆ…放光口
２０，２０ａ，２０ｂ…有機ＥＬ照明又は無機ＥＬ照明
２１…透明基板
２２…透明電極
２３…有機発光層又は無機発光層
２４，２４ａ…金属電極等
２５…反射層
３０…カラーフィルタ
４１…レンズ
４２…ケース
４３…光拡散板
４４…導光板
４５…光拡散ケース
４６…ルーバー
４７…光拡散フィルム
【図１Ａ】
2016092003.tif 000003
【図１Ｂ】
2016092003.tif 000004
【図２】
2016092003.tif 000005
【図３】
2016092003.tif 000006
【図４Ａ】
2016092003.tif 000007
【図４Ｂ】
2016092003.tif 000008
【図４Ｃ】
2016092003.tif 000009
【図５Ａ】
2016092003.tif 000010
【図５Ｂ】
2016092003.tif 000011
【図５Ｃ】
2016092003.tif 000012
【図６Ａ】
2016092003.tif 000013
【図６Ｂ】
2016092003.tif 000014
【図７Ａ】
2016092003.tif 000015
【図７Ｂ】
2016092003.tif 000016
【図７Ｃ】
2016092003.tif 000017
【図９Ｂ】
2016092003.tif 000018
【図９Ｃ】
2016092003.tif 000019
【図９Ｄ】
2016092003.tif 000020
【図９Ｅ】
2016092003.tif 000021
【図９Ｆ】
2016092003.tif 000022
【図９Ｇ】
2016092003.tif 000023
【図８】
2016092003.tif 000024
【図９Ａ】
2016092003.tif 000025